(57)【要約】【課題】別途部材を追加するなどのコストアップを招くことなく、消しゴムの使用者にとって扱いが容易で、消しゴムが小さく磨り減っても当初の形状をほぼ維持したまま当初のデザイン性や広告効果を損なうことなく消しゴムを保持することができる消しゴムケースを提供する。【解決手段】消しゴムケース１０の角部を内側へ切り起こすことにより、消しゴム２０の底部２２が係止するＬ字型またはくの字型の係止段部１２を形成可能とする切り起こし部１１を、消しゴムケース１０の角部に対して直交させて設ける。【選択図】        図１
0003123760.tif 000002
【実用新案登録請求の範囲】
【請求項１】
柱状の消しゴムの側面を覆う消しゴムケースにおいて、ケースを内側へ切り起こすことにより、消しゴムの一端が係止する係止段部を形成可能とする、易変形の材質からなる切り起こし部を設けることを特徴とする消しゴムケース。
【請求項２】
ケースは角柱状であり、Ｌ字型またはくの字型の係止段部を形成可能とする切り起こし部を、ケースの角部に対して直交させて設ける請求項１記載の消しゴムケース。
【請求項３】
ケースは四角柱状であり、切り起こし部をケースの対角線上に千鳥状に設ける請求項１または請求項２記載の消しゴムケース。
【請求項４】
ケースの延在方向に沿って、切り起こし部の間隔を変更する請求項１ないし請求項３のいずれかに記載の消しゴムケース。
【請求項５】
ケースの一端に行くにしたがって、切り起こし部の間隔を狭める請求項１ないし請求項３のいずれかに記載の消しゴムケース。
【考案の詳細な説明】
【技術分野】
【０００１】
本考案は、紙や薄いプラスチックなど、主に変形し易い材質により構成する、柱状の消しゴムの側面を覆う消しゴムケースに関するものである。
【背景技術】
【０００２】
従来、消しゴムケースは厚紙などの変形し易い材質によって柱状の消しゴムの側面を包むように形成するのが一般的である。ところで、使用により消しゴムが磨り減ってケースの長さよりも短くなると、消しゴムの使用者は消しゴムの一端をケースに押し込むことにより消しゴムの他端をケース外へ出して使用することが一般的である。
【０００３】
このようにした場合、ケースの一端に空洞が生じ、その状態のまま使用すると押し出した消しゴムがケース内に戻ってしまうため、消しゴムがケース内に戻らないようケースの空洞部分を握りつぶして消しゴムを使用すると、その部分のケースが皺になり、見栄えが悪い上に持ちにくくなるという問題があった。
【０００４】
一方、消しゴムを押し込むことにより空洞となった部分のケースをカッターナイフなどにより切除すれば、ケースが皺になることは無い。しかし、消しゴムケースには独自のデザインが施されたり、広告が印刷されていることが一般的であり、ケースの一部を切除してしまうとこれらのデザイン性や広告効果が失われてしまう。
【０００５】
また、消しゴムの使用者の中には、ケースが皺になったり、これを防ぐためにカッターナイフなどで切除しなければならないことを疎ましく思い、ケースを破棄して消しゴムを裸で使用する者も出てくるが、そうするとケースのデザイン性や広告効果が失われてしまうのみならず、消しゴムの全面が露出するため全ての角部が磨り減って丸くなり、転がって紛失し易くなるという問題があった。
【０００６】
このようなものに対して、数段階に長さが変わるケースによって消しゴムを最後まで経済的に使い切ることができる消しゴムケースが以下の特許文献において提案されている。
【特許文献１】実開平０７−２０９２号公報
【０００７】
これは図６に示すように、数段階に長さが変わるケース１の４つのひら６は、数段階に折り目がついていて折り曲げることが可能になっている。消しゴムが短くなることにひら６を折り曲げてゆき、短くなった消しゴム５の一端を出すようにして保持する。又、各ひら６同士は隣接する角部において繋がっていないため、ケース１の外側に別途ケースを設けることにより、折り曲げたひら６を固定するようにしている。これにより、消しゴムが磨り減って小さくなってもケースが皺になることがなく、ケースを切除する必要も無い。
【考案の開示】
【考案が解決しようとする課題】
【０００８】
しかし、消しゴムケースを折り曲げてしまうと、当初の形状からは大きく変形してしまうため、当初のデザイン性や広告効果が損なわれてしまうことに変わりは無い。また、ケースを折り曲げたひらを固定するために別途これをカバーするケースが必要となり、消しゴムケースの製作にかかるコストが増大するという問題がある。
【０００９】
本考案の目的は前記従来例の不都合を解消し、別途部材を追加するなどのコストアップを招くことなく、消しゴムの使用者にとって扱いが容易で、消しゴムが小さく磨り減っても当初の形状をほぼ維持したまま当初のデザイン性や広告効果を損なうことなく消しゴムを保持することができる消しゴムケースを提供することにある。
【課題を解決するための手段】
【００１０】
本考案は前記目的を達成するため、第１に、柱状の消しゴムの側面を覆う消しゴムケースにおいて、ケースを内側へ切り起こすことにより、消しゴムの一端が係止する係止段部を形成可能とする、易変形の材質からなる切り起こし部を設けること、第２に、ケースは角柱状であり、Ｌ字型またはくの字型の係止段部を形成可能とする切り起こし部を、ケースの角部に対して直交させて設けること、第３に、ケースは四角柱状であり、切り起こし部をケースの対角線上に千鳥状に設けること、第４に、ケースの延在方向に沿って、切り起こし部の間隔を変更すること、または、ケースの一端に行くにしたがって、切り起こし部の間隔を狭めることを要旨とするものである。
【００１１】
請求項１記載の本考案によれば、消しゴムが磨り減って短くなったら、消しゴムケースに設ける切り起こし部をケース内側へ切り起こすことにより、ケース内の消しゴムの端をこの係止段部に係止させてケース内に戻らないよう保持することができる。このように、変形する部分が切り起こし部のみにとどまるため、当初の消しゴムケースの形状をほぼ維持したまま当初のデザイン性や広告効果を損なうことなく消しゴムを保持することができる。
【００１２】
また、この係止段部は、消しゴムの使用者が消しゴムケース角部に設ける切り起こし部を鉛筆の先などを使ってケース内側へ切り起こすだけで実現できるので、消しゴムの使用者にとって扱いが容易である。
【００１３】
なお、切り起こし部は紙や薄いプラスチックなどの易変形の材質により構成することで、容易に切り起こすことができるが、ケース全体を易変形の材質により構成した場合には、消しゴムケースに予め切れ目を入れておくか、その部分を切れ易い様に形成するだけで良く、ケース全体を硬質の材質により構成した場合には、切り起こし部の厚みを薄くすることで易変形とすることができるので、いずれにしても別途部材を追加するなどのコストアップを招くことがない。
【００１４】
また、消しゴムケースの形状は消しゴムの形状に合わせるものであり、角柱状の消しゴムの側面を覆う場合には角柱状に、円柱状の消しゴムの側面を覆う場合には円柱状に作成するものであるが、いずれの場合においても、消しゴムの底部を安定して保持できるよう、係止段部を形成する切り起こし部は、同一断面上において２以上を均等間隔で設けることが好ましい。
【００１５】
請求項２記載の本考案によれば、ケースが角柱状である場合において、Ｌ字型またはくの字型の係止段部を形成可能とする切り起こし部を、ケースの角部に対して直交させて設けるようにしたから、これを切り起こすことにより形成される係止段部もケースの角部に対して直交するものとなり、同様にケースの角部に対して直交する消しゴムの端に接する係止段部の面積が最大となり、消しゴムをより安定して保持できる。
【００１６】
請求項３記載の本考案によれば、一般的である四角柱状の消しゴムの側面を覆う四角柱状のケースに対して、切り起こし部をケースの対角線上に設けるようにしたから、切り起こし部の数を必要最小限にとどめ、切り起こし部を形成するコスト及び切り起こし部の存在によるケースの強度低下を最小限にとどめることができる。
【００１７】
すなわち、短くなった消しゴムの端は、四隅全てをケースに係止させなくとも、対角線上の２つの係止段部によって安定して保持することが可能であり、係止段部を形成可能な切り起こし部をケースの対角線上に設けるようにすることで、切り起こし部の数を必要最小限にとどめることができる。
【００１８】
また、切り起こし部をケースの対角線上に千鳥状に設けるようにしたから、切り起こし部をケースの１箇所に偏らずに分散させて、ケースの強度を維持することができる。
【００１９】
請求項４記載の本考案によれば、ケースの延在方向に沿って、切り起こし部の間隔を変更することにより、様様な使用状態に合わせて消しゴムを保持する位置を調節することができる。
【００２０】
請求項５記載の本考案によれば、ケースの一端に行くにしたがって、切り起こし部の間隔を狭めるようにしたから、消しゴムが磨り減って短くなっても、消しゴム全体の長さに対するケース内に収まる部分の長さの割合を微調節して適正に保つことができる。
【考案の効果】
【００２１】
本考案の消しゴムケースは、別途部材を追加するなどのコストアップを招くことなく、消しゴムの使用者が簡単に扱える仕組みによって、消しゴムが小さく磨り減っても当初の形状をほぼ維持したまま当初のデザイン性や広告効果を損なうことなく消しゴムを保持することができる。
【考案を実施するための最良の形態】
【００２２】
以下、図面について本考案の実施形態を詳細に説明する。図１は本考案の消しゴムケースの１実施形態の使用状態を示す全体斜視図である。
【００２３】
四角柱状の消しゴム２０の側面を覆う紙製の消しゴムケース１０は、消しゴム２０と同様に四角柱状であり、その角部に、複数の切り起こし部１１を設ける。
【００２４】
図２に示すように、切り起こし部１１は、消しゴムケース１０の角部に対して直交するように、２本の切れ目１１ａを平行に入れるようにして形成する。平行な２本の切れ目１１ａの両端をつなぐ線が、折り目１１ｂとなる。
【００２５】
また、切り起こし部１１を設ける位置は、四角柱の対角線上に千鳥状に設ける。すなわち、切り起こし部１１が位置する部分の断面において、１対の切り起こし部１１を対向させるとともに、四角柱の延在方向に沿って交互の角に切り起こし部１１を設ける。
【００２６】
更に、消しゴムケース１０の一端（図中左側端）に行くにしたがって、切り起こし部１１を設ける間隔を狭める。すなわち、当初消しゴム２０の底部２２が存在した側の端（図中右側端）に最も近い切り起こし部１１から次の切り起こし部１１までの長さＬ１よりも、そこから更に消しゴムの頭部２１までの長さＬ２の法が短くなるように、切り起こし部１１を設ける。
【００２７】
この切り起こし部１１は図３に示すように、外側から押し込むことにより、折り目１１ｂの部分で折れ、消しゴムケース１０の内側にＬ字型またはくの字型の係止段部１２として切り起こすことができるものである。
【００２８】
係止段部１２部分の断面図である図４にも示すように、係止段部１２は消しゴムケース１０の角部を内側へ切り起こして形成するものであり、消しゴムケース１０の角部に対して直交している。
【００２９】
次に、本実施例の消しゴムケース１０の使用方法について説明する。図１に示すように、使用により消しゴム２０が磨り減って短くなると、消しゴムの使用者は消しゴム２０の頭部２１が適度に消しゴムケース１０の一端（図中左側端）から出るように消しゴム２０を寄せて、鉛筆の先などを使って切り起こし部１１を内側へ押し込み、係止段部１２を形成する。
【００３０】
消しゴム２０の底部２２は、対角線上に位置する一対の係止段部１２に係止するから、消しゴム２０が消しゴムケース１０内に引っ込んでしまうことが無く、頭部２１が適度に出た状態を保つことができる。
【００３１】
また、係止段部１２は消しゴムケース１０の角部に対して直交するものであるから、同様に消しゴムケース１０の角部に対して直交する消しゴム２０の底部２２に接する面積が最大となり、消しゴム２０の底部２２をより安定して係止することができる。
【００３２】
なお、消しゴム２０を安定して保持するため適度に消しゴムケース１０内に収めつつ、消しゴム２０の頭部２１を適度に消しゴムケース１０の外に出しておく必要があるので、使用により消しゴム２０が磨り減って短くなると、消しゴムケース１０に対する消しゴム２０の位置を微調節する必要があるが、切り起こし部１１の間隔は一端に行くほど短いから、微調節が可能である。
【００３３】
そして、係止段部１２を形成することにより変形する部分は切り起こし部１１のみであるから、消しゴムケース１０はほぼ当初の形状を維持することができる上、切り起こし部１１の位置は消しゴムケース１０の作成時から決められるものであるから、消しゴムケース１０に施すデザインや広告に影響を与えないように配慮した位置に切り起こし部１１を設定することがでる。
【００３４】
よって、消しゴムが小さく磨り減っても当初の形状をほぼ維持したまま当初のデザイン性や広告効果を損なうことなく消しゴムを保持することができる。
【００３５】
なお、図５は消しゴムケース１０の別の使用状態を示す全体斜視図であるが、図５に示すように、両端に消しゴム２０を入れて使用しても良い。この場合、両側から消しゴム２０を入れることを予め想定して、消しゴムケース１０を作成するようにしても良い。
【００３６】
例えば、図示はしないが、消しゴムケース１０の角部に直交する切り起こし部１１を対角線上に千鳥状に設けるとともに、切り起こし部１１の数が多い場合（例えば５以上の場合）は消しゴムケース１０の両端に行くほど切り起こし部１１同士の間隔を狭めるようにし、使用により消しゴム２０が磨り減って短くなっても、消しゴム２０の頭部２１が適度に出るよう、微調節可能としても良い。
【００３７】
消しゴムケース１０の両側を使用する場合は、例えば、当初から使用している消しゴム２０を一端に入れ、断面のサイズが同じ別の消しゴム２０を他端に入れるようにすれば、消しゴムケース１０の両端から消しゴム２０の頭部２１を出して使用することができるから、消しゴムケース１０の広告効果をより長期間得ることができる。
【図面の簡単な説明】
【００３８】
【図１】本考案の消しゴムケースの１実施形態の使用状態を示す全体斜視図である。
【図２】消しゴムケースの使用前の状態を示す全体斜視図である。
【図３】一部の切り起こし部を内側へ切り起こした状態を示す全体斜視図である。
【図４】係止段部での消しゴムケースの縦断側面図である。
【図５】本考案の消しゴムケースの別の実施形態の使用状態を示す全体斜視図である。
【図６】従来の消しゴムケースの１実施形態を示す全体斜視図である。
【符号の説明】
【００３９】
１  ケース                      ５  消しゴム
６  ひら                        １０  消しゴムケース
１１  切り起こし部              １１ａ  切れ目
１１ｂ  折り目                  １２  係止段部
２０  消しゴム                  ２１  頭部
２２  底部
【図１】
0003123760.tif 000003
【図２】
0003123760.tif 000004
【図３】
0003123760.tif 000005
【図４】
0003123760.tif 000006
【図５】
0003123760.tif 000007
【図６】
0003123760.tif 000008